(57)【特許請求の範囲】
【請求項１】
底面部と側面部とを備え、前記底面部と前記側面部とが一体に形成されており、上部に
開口を有している本体部と、
前記開口を覆う蓋部と、
前記本体部の内部の空気を外部へ排出する排気口と、を有し、
前記側面部は、蛇腹状に形成されている収縮部を備えており、
前記収縮部よりも前記側面部の前記蓋部側には、上側非収縮部が配されており、
前記収縮部よりも前記側面部の前記底面部側には、下側非収縮部が配されており、
前記本体部の高さ方向における前記下側非収縮部の長さは、前記上側非収縮部の長さよりも長いことを特徴とする衣類収納具。
【請求項２】
前記排気口は、前記本体部に配置されている請求項１に記載の衣類収納具。
【請求項３】
前記本体部の高さ方向における前記収縮部の長さは、前記本体部の高さの３０％以上である請求項１または２に記載の衣類収納具。
【請求項４】
前記排気口を覆うキャップを有している請求項１〜３のいずれか一項に記載の衣類収納具。
【請求項５】
前記本体部の上端部に、弾性部材が配置されている請求項１〜４のいずれか一項に記載の衣類収納具。
【発明の詳細な説明】
【技術分野】
【０００１】
本発明は、衣類を収納することができる衣類収納具に関する。
【背景技術】
【０００２】
季節の推移により衣類を替え、その季節での着用に適していない衣類を保管するために、衣装ケース等の収納具に衣類を収納することが一般的に行われている。衣類収納具としては、合成樹脂製や木製、ダンボール等の紙製の箱状物のものが知られている。しかし、衣類収納具に収納する衣類の量が少なく、衣類の体積が衣類収納具の内部の容積よりも小さい場合、衣類収納具の内部に無駄な空間が生じてしまい、押し入れやクローゼット等を含む部屋の空間を有効に活用することが困難となっている。
【０００３】
また、合成樹脂製の袋状物であって、衣類や布団等を収納し、袋状物の内部の空気を吸引等によって排出することで収納物の体積を小さくする圧縮保存袋も知られている。しかし、圧縮保存袋は、内部の空気を排出した際に収納物の外形が歪になりやすく、その結果、衣類等を収納した圧縮保存袋の外形も歪となる。そのため、衣類等を収納した圧縮保存袋の上に別の物品を安定的に置きにくく、部屋の空間の有効活用が難しくなることがある。さらに、圧縮保存袋に衣類を収納した場合、圧縮保存袋の外形が歪となることによって、収納している衣類にシワが生じることや、衣類の型崩れが起こりやすいという問題もある。
【０００４】
そこで、特許文献１に示されているように、底面を有する枠体と少なくとも一つの枠体を相互に嵌め込んで重ね合わせ可能にすることにより伸縮自在とした収容部を形成し、最上部の枠体によって形成される空間を空気太りする物品の出入口とし、排出口を設けた密閉蓋を最上部の枠体に係止手段によって着脱自在として取り付けたことを特徴とする圧縮保存ケースが知られている。
【先行技術文献】
【特許文献】
【０００５】
【特許文献１】実開平５−１９１３５号公報
【発明の概要】
【発明が解決しようとする課題】
【０００６】
しかし、特許文献１に示されている圧縮保存ケースでは、底面を有する枠体と、この枠体に嵌め込まれている別の複数の枠体との間から外部の空気が入り込んで圧縮状態が意図せず解除されることがあり、改善の余地があった。また、枠体と別の枠体との間の隙間から湿気が圧縮保存ケースの内部に入り、圧縮保存ケース内に収納している衣類にカビや臭いが生じることや、枠体同士の間の隙間からカツオブシムシ等の衣類を食べる害虫が圧縮保存ケース内に侵入し、圧縮保存ケースへ収納している衣類に虫食いが発生するという問題もあった。
【０００７】
そこで、本発明は、高い密閉度を有し、圧縮状態を保ちつつ、収納物の体積に合わせて高さを低くすることができ、部屋の空間を有効に活用することが可能となる衣類収納具を提供することを目的とする。
【課題を解決するための手段】
【０００８】
上記の課題を解決することができた衣類収納具は、底面部と側面部とを備え、底面部と側面部とが一体に形成されており、上部に開口を有している本体部と、開口を覆う蓋部と、本体部の内部の空気を外部へ排出する排気口と、を有し、側面部は、蛇腹状に形成されている収縮部を備えていることを特徴とするものである。
【０００９】
上記の衣類収納具において、収縮部は、側面部の蓋部側に配置されていることが好ましい。
【００１０】
上記の衣類収納具において、本体部の高さ方向における収縮部の長さは、本体部の高さの３０％以上であることが好ましい。
【００１１】
上記の衣類収納具において、排気口を覆うキャップを有していることが好ましい。
【００１２】
上記の衣類収納具において、本体部の上端部に、弾性部材が配置されていることが好ましい。
【発明の効果】
【００１３】
本発明の衣類収納具によれば、側面部が蛇腹状に形成されている収縮部を備えている本体部と、蓋部と、排気口とを有していることにより、本体部の内部の空気を外部へ排出する際に、本体部の内部に収納する衣類の体積に合わせて収縮部の高さが縮み、その結果、衣類収納具の高さを小さくすることが可能となり、部屋の空間を有効に活用することができる。また、本体部は、底面部と側面部とが一体に形成されていることにより、外部から本体部の内部に空気が入り込みにくく、内部の圧縮状態が保たれやすくなる。さらに、本体部が一体であることにより、内部に湿気や害虫が入ることを防ぎ、防湿および防虫効果を有する状態にて衣類を収納保管することができる。
【図面の簡単な説明】
【００１４】
【図１】本発明の実施の形態に係る衣類収納具の斜視図を表す。
【発明を実施するための形態】
【００１５】
以下、本発明に係る衣類収納具に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１６】
図１は、本発明の実施の形態に係る衣類収納具１の斜視図である。衣類収納具１は、内部に衣類を収納する物品である。具体的には、本体部１０が備えている底面部１１と側面部１２、および蓋部２０とから形成される内部空間に衣類を収納する。
【００１７】
図１に示すように、衣類収納具１は、底面部１１と側面部１２とを備え、底面部１１と側面部１２とが一体に形成されており、上部に開口１３を有している本体部１０と、開口１３を覆う蓋部２０と、本体部１０の内部の空気を外部へ排出する排気口３０と、を有し、側面部１２は、蛇腹状に形成されている収縮部１４を備えている。収縮部１４が蛇腹状に形成されていることによって伸縮が可能となり、本体部１０の高さ方向において、収縮部１４の高さを縮めることができる。そのため、本体部１０の内部空間に収納した衣類の量が少ないときには、衣類収納具１に衣類を収納した後、排気口３０を通して内部空間の空気を外部へ排出し、蛇腹状に形成されている収縮部１４を収縮させることによって本体部１０の高さを低くすることができる。その結果、収納する衣類の嵩に合わせて衣類収納具１の高さを低くすることが可能となり、部屋の空間を有効活用できる。
【００１８】
また、本体部１０の底面部１１と側面部１２とが一体に形成されていることにより、本体部１０の側面等に隙間が生じにくく、本体部１０に蓋部２０を取り付けて衣類収納具１を密閉状態にした後に、本体部１０から内部へ空気が入り込みにくく、衣類収納具１の圧縮状態を長期間保つことが可能となる。さらに、本体部１０から内部に湿気や害虫が侵入することも防ぎ、防湿効果および防虫効果を有する衣類収納具１とすることが可能となる。
【００１９】
蓋部２０は、本体部１０の開口１３を覆うように取り付けられるが、本体部１０の上部に直接接触するように取り付けられることが好ましい。蓋部２０が本体部１０の上部に直接接触するように取り付けられることにより、本体部１０と蓋部２０との間に隙間が生じにくく、衣類収納具１の密閉状態を保ちやすくなる。
【００２０】
排気口３０を通じて、本体部１０の内部の空気を外部へ排出する方法としては、例えば、蓋部２０へ上部から力を加える等、衣類収納具１の外部から圧力を加えて収縮部１４を収縮させて排気口３０から排気する、排気口３０に掃除機の吸込口を近づけて本体部１０の内部の空気を吸引する等の方法が挙げられる。中でも、衣類収納具１の外部から圧力を加えて収縮部１４を収縮させることによって、排気口３０から本体部１０の内部の空気を外部へ排出することが好ましい。衣類収納具１に外部から圧力を加えることによって内部の空気を外部へ排出できることにより、本体部１０の内部の空気を外部へ排出する際に掃除機等の道具を用意する必要がなく、衣類収納具１の取り扱いが容易となる。
【００２１】
本体部１０を構成する材料は、合成樹脂であることが好ましく、例えば、ポリプロピレンやポリエチレン等のポリオレフィン系樹脂、ポリ塩化ビニル系樹脂、ポリエチレンテレフタレート等のポリエステル系樹脂等が挙げられる。中でも、本体部１０を構成する材料は、ポリオレフィン系樹脂であることが好ましく、ポリプロピレンであることがより好ましい。本体部１０を構成する材料がポリオレフィン系樹脂であることにより、収縮部１４を繰り返し伸縮させても本体部１０が破損しにくく、本体部１０の耐久性を高めることが可能となる。
【００２２】
蓋部２０を構成する材料も、合成樹脂であることが好ましい。蓋部２０を構成する材料は、本体部１０を構成する材料と異なるものであってもよいが、同じものであることが好ましい。蓋部２０を構成する材料が本体部１０を構成する材料と同じであることにより、本体部１０に蓋部２０を取り付ける等の本体部１０と蓋部２０とが接触した際に、本体部１０と蓋部２０のどちらかのみが傷つきやすくなることを防止し、耐久性の高い衣類収納具１とすることができる。
【００２３】
本体部１０と蓋部２０の少なくとも一方は、少なくとも一部が透明であることが好ましい。本体部１０と蓋部２０の少なくとも一方の、少なくとも一部が透明であることにより、衣類収納具１の内部を外部から視認することができ、蓋部２０を外さずに衣類収納具１へ収納した衣類を確認することが可能となる。
【００２４】
図１に示すように、排気口３０は、本体部１０に配置されていてもよいが、蓋部２０に配置されていることが好ましい。排気口３０が蓋部２０に配置されていることにより、本体部１０の内部の空気を外部へ排出した際に、収縮部１４の全体が均一に収縮しやすくなり、衣類収納具１の上面が床に対して平行に近くなりやすい。そのため、衣類収納具１の上面に他物を置きやすく、部屋の空間を有効に活用することが可能となる。
【００２５】
排気口３０は、逆止弁を備えていることが好ましい。排気口３０が逆止弁を備えていることにより、排気口３０を通して本体部１０の内部の空気を外部へ排出した後、排気口３０から外部の空気が本体部１０の内部へ入り込みにくくなり、衣類収納具１の高さを低くした状態が長期間にわたって保たれやすくなる。
【００２６】
図１に示すように、収縮部１４は、側面部１２の蓋部２０側に配置されていることが好ましい。収縮部１４が側面部１２の蓋部２０側に配置されていることにより、蓋部２０の上部から圧力を加えた際に収縮部１４が収縮しやすく、衣類収納具１の高さを低くすることが行いやすい。
【００２７】
本体部１０の高さ方向における収縮部１４の長さＬ１は、本体部１０の高さＨ１の３０％以上であることが好ましい。収縮部１４の長さＬ１が本体部１０の高さＨ１の３０％以上であることにより、本体部１０の内部の空気を外部へ排出した際に、本体部１０の高さを十分に低くすることができ、部屋の空間を有効に活用しやすくなる。
【００２８】
本体部１０の高さ方向における収縮部１４の長さＬ１は、本体部１０の高さＨ１の３０％以上であることが好ましく、４０％以上であることがより好ましく、５０％以上であることがさらに好ましく、６０％以上であることがよりさらに好ましく、７０％以上であることが特に好ましい。収縮部１４の長さＬ１と本体部１０の高さＨ１の比率の下限値を上記の範囲に設定することにより、衣類収納具１に収納している衣類の量が少ない場合や嵩が低い場合に本体部１０の高さを十分に低くすることが可能となり、部屋の空間の有効活用を図ることができる。また、収縮部１４の長さＬ１と本体部１０の高さＨ１の比率の上限値は特に限定されないが、例えば、９５％以下、９０％以下、８５％以下とすることができる。
【００２９】
図１に示すように、衣類収納具１は、排気口３０を覆うキャップ４０を有していることが好ましい。排気口３０を覆うキャップ４０があることにより、本体部１０の内部の空気を外部へ排出した後に、排気口３０をキャップ４０にて覆うことによって、排気口３０から外部の空気が本体部１０の内部へ入り込むことを防止できる。なお、キャップ４０は、排気口３０の外方から排気口３０を覆う構成のものであってもよく、排気口３０の内部に挿入することによって排気口３０を塞ぐ構成のものであってもよい。
【００３０】
キャップ４０を構成する材料は、例えば、合成樹脂、ゴム、金属等が挙げられる。中でも、キャップ４０を構成する材料は、合成樹脂であることが好ましい。キャップ４０を構成する材料が合成樹脂であることにより、キャップ４０が劣化しにくく、繰り返しの使用が可能となる。
【００３１】
図１に示すように、本体部１０の上端部に、弾性部材５０が配置されていることが好ましい。本体部１０に弾性部材５０が配置されていることにより、本体部１０に蓋部２０を取り付けた際に、本体部１０と蓋部２０との間の隙間を弾性部材５０が埋め、衣類収納具１の気密性を高めることができ、衣類収納具１の圧縮状態を長期間保つことができる。
【００３２】
弾性部材５０を構成する材料は、例えば、ニトリルゴム、スチレン・ブタジエンゴム、シリコーンゴム等が挙げられる。中でも、弾性部材５０を構成する材料は、ニトリルゴムであることが好ましい。弾性部材５０を構成する材料がニトリルゴムであることにより、衣類収納具１の気密性を十分に確保することができる。
【００３３】
図１に示すように、本体部１０と蓋部２０の少なくとも一方は、本体部１０に蓋部２０を取り付けた際に本体部１０と蓋部２０とを固定する留め具６０を有していることが好ましい。本体部１０と蓋部２０の少なくとも一方が留め具６０を有していることにより、本体部１０から蓋部２０が外れにくく、衣類収納具１を圧縮して、衣類収納具１の高さを低くした状態を長期間保つことが可能となる。
【００３４】
留め具６０は、衣類収納具１を上から見た際の形状において、各辺に配置されていることが好ましい。具体例としては、衣類収納具１を上から見た形状が略四角形である場合には、略四角形の４辺に留め具６０が配置されていることが好ましい。留め具６０が、衣類収納具１を上から見た際の形状の各辺に配置されていることにより、本体部１０と蓋部２０とをより密着させることができ、衣類収納具１の密閉状態をより高めることができる。なお、留め具６０は、衣類収納具１を上から見た際の形状の、各辺に１つずつ配置されていてもよく、複数配置されていてもよい。
【００３５】
図示していないが、本体部１０の底面部１１に、車輪が配置されていることが好ましい。底面部１１に車輪が配置されていることにより、衣類収納具１の移動が行いやすく、例えば、衣類収納具１に衣類を収納して重量が重くなった場合であっても衣類収納具１の移動の際に床を傷付けにくくなり、衣類収納具１が使いやすくなる。
【００３６】
以上のように、本発明の衣類収納具は、底面部と側面部とを備え、底面部と側面部とが一体に形成されており、上部に開口を有している本体部と、開口を覆う蓋部と、本体部の内部の空気を外部へ排出する排気口と、を有し、側面部は、蛇腹状に形成されている収縮部を備えていることを特徴とする。衣類収納具が、側面部が蛇腹状に形成されている収縮部を備えている本体部と、蓋部と、排気口とを有していることにより、本体部の内部の空気を外部へ排出する際に、本体部の内部に収納する衣類の体積に合わせて収縮部の高さが縮み、その結果、衣類収納具の高さを小さくすることが可能となり、部屋の空間を有効に活用することができる。また、本体部は、底面部と側面部とが一体に形成されていることにより、外部から本体部の内部に空気が入り込みにくく、内部の圧縮状態が保たれやすくなる。さらに、本体部が一体であることにより、内部に湿気や害虫が入ることを防ぎ、防湿および防虫効果を有する状態にて衣類を収納保管することができる。
【符号の説明】
【００３７】
１：衣類収納具
１０：本体部
１１：底面部
１２：側面部
１３：開口
１４：収縮部
２０：蓋部
３０：排気口
４０：キャップ
５０：弾性部材
６０：留め具
Ｌ１：本体部の高さ方向における収縮部の長さ
Ｈ１：本体部の高さ
【要約】
【課題】圧縮状態を保ちつつ、収納物の体積に合わせて高さを低くすることができ、部屋の空間を有効に活用することが可能となる衣類収納具を提供する。
【解決手段】底面部１１と側面部１２とを備え、底面部１１と側面部１２とが一体に形成されており、上部に開口１３を有している本体部１０と、開口１３を覆う蓋部２０と、本体部１０の内部の空気を外部へ排出する排気口３０と、を有し、側面部１２は、蛇腹状に形成されている収縮部１４を備えていることを特徴とする。
【選択図】図１【図１】
0006883088.tif 000002